【手続補正書】
【提出日】平成26年9月2日(2014.9.2)
【手続補正１】
【補正対象書類名】明細書
【補正対象項目名】００２２
【補正方法】変更
【補正の内容】
【００２２】
割り出し可能な切削インサート２０は、２つの対向端面２２と、それらの間に延在する周辺側面２４および中心軸Ｃと、４つの切削部分２６ａ、２６ｂ、２６ｃ、２６ｄとを有する。周辺側面２４は、間隔をあけて配置されたちょうど４つの当接区域２８ａ、２８ｂ、２８ｃ、２８ｄを有し、それ故に、割り出し可能な切削インサート２０に、切削部分の数によって当接区域の数を除することによって測定される１．０と等しい当接比Ｒａを与える。これは製造効率に関して有益である。４つの当接区域２８ａ、２８ｂ、２８ｃ、２８ｄのそれぞれは、周辺側面２４の個別領域を示す。周辺側面２４の個別領域は、割り出し可能な切削インサート２０の少なくとも１つの割り出し位置において、嵌め合わせられる部品の対応する領域と拘束接触する。
図２において示されるように、割り出し可能な切削インサート２０の側面視において、４つの当接区域２８ａ、２８ｂ、２８ｃ、２８ｄのそれぞれは、４つの当接区域２８ｄ、２８ｃ、２８ｂ、２８ａのうち隣接する１つとV字型を形成する。
【手続補正２】
【補正対象書類名】特許請求の範囲
【補正対象項目名】全文
【補正方法】変更
【補正の内容】
【特許請求の範囲】
【請求項１】
２つの対向端面（２２）であってそれらの間に周辺側面（２４）および中心軸（Ｃ）が延在する２つの対向端面（２２）を含む割り出し可能な切削インサート（２０）であって、
前記切削インサート（２０）は４つの切削部分（２６ａ、２６ｂ、２６ｃ、２６ｄ）および間隔をあけて配置されたちょうど４つの当接区域（２８ａ、２８ｂ、２８ｃ、２８ｄ）を有し、前記４つの当接区域（２８ａ、２８ｂ、２８ｃ、２８ｄ）のそれぞれは、前記切削インサート（２０）の少なくとも１つの割り出し位置において、嵌め合わせられる部品の対応する領域と拘束接触することができる前記周辺側面（２４）の個別領域を示し、
前記切削インサート（２０）は前記中心軸（Ｃ）の周りで４つの仮想的な四分円（Ｑ１、Ｑ２、Ｑ３、Ｑ４）に分割され、
前記４つの当接区域（２８ａ、２８ｂ、２８ｃ、２８ｄ）は前記４つの仮想的な四分円（Ｑ１、Ｑ２、Ｑ３、Ｑ４）のうちの２つ（Ｑ１、Ｑ３）の中に完全に位置された、
割り出し可能な切削インサート（２０）。
【請求項２】
前記切削インサート（２０）の側面視において、前記４つの切削部分（２６ａ、２６ｂ、２６ｃ、２６ｄ）のそれぞれは、前記４つの当接区域（２８ａ、２８ｂ、２８ｃ、２８ｄ）のうち最も近い１つから間隔をあけて配置された、請求項１に記載の割り出し可能な切削インサート（２０）。
【請求項３】
前記４つの当接区域（２８ａ、２８ｂ、２８ｃ、２８ｄ）のそれぞれは、平坦であり且つ平坦な前記４つの当接区域のうちの他の１つ（２８ｄ、２８ｃ、２８ｂ、２８ａ）と１８０度未満の外部当接角（α１）を形成する、請求項１に記載の割り出し可能な切削インサート（２０）。
【請求項４】
前記外部当接角（α１）は６０度から１４０度の間の角度を有する、請求項３に記載の割り出し可能な切削インサート（２０）。
【請求項５】
前記４つの切削部分（２６ａ、２６ｂ、２６ｃ、２６ｄ）は互いに同一であり、前記４つの切削部分（２６ａ、２６ｂ、２６ｃ、２６ｄ）のそれぞれは、すくい面（３４ａ、３４ｂ、３４ｃ、３４ｄ）および逃げ面（３６ａ、３６ｂ、３６ｃ、３６ｄ）が交差して形成された切刃（３２ａ、３２ｂ、３２ｃ、３２ｄ）を有し、前記４つのすくい面（３４ａ、３４ｂ、３４ｃ、３４ｄ）および前記４つの逃げ面（３６ａ、３６ｂ、３６ｃ、３６ｄ）は前記周辺側面（２４）に位置する、
請求項１に記載の割り出し可能な切削インサート（２０）。
【請求項６】
前記周辺側面（２４）は対向側面（３８ａ、３８ｂ）の２つの対を含み、前記４つの切刃（３２ａ、３２ｂ、３２ｃ、３２ｄ）は前記対向側面（３８ａ、３８ｂ）の２つの対の間の交差部分に形成されており、対向側面（３８ｂ）の第２対は前記４つのすくい面（３４ａ、３４ｂ、３４ｃ、３４ｄ）および前記４つの当接区域（２８ａ、２８ｂ、２８ｃ、２８ｄ）を含む、請求項５に記載の割り出し可能な切削インサート（２０）。
【請求項７】
前記中心軸（Ｃ）を含む第１平面（Ｐ１）に関して鏡面対称性を有する、請求項５に記載の割り出し可能な切削インサート（２０）。
【請求項８】
前記４つの当接区域（２８ａ、２８ｂ、２８ｃ、２８ｄ）は第１の仮想四分円（Ｑ１）および第３の仮想四分円（Ｑ３）内に完全に位置され、前記第１平面（Ｐ１）は前記第１の仮想四分円（Ｑ１）および前記第３の仮想四分円（Ｑ３）を２等分する、請求項７に記載の割り出し可能な切削インサート（２０）。
【請求項９】
すくい面（３４ａ、３４ｂ、３４ｃ、３４ｄ）のそれぞれは、それに関連する逃げ面（３６ａ、３６ｂ、３６ｃ、３６ｄ）よりも前記第１平面（Ｐ１）に概ね近い、請求項７に記載の割り出し可能な切削インサート（２０）。
【請求項１０】
前記中心軸（Ｃ）を含み且つ前記第１平面（Ｐ１）に対して垂直である第２平面（Ｐ２）に関して鏡面対称性を有する、請求項７に記載の割り出し可能な切削インサート（２０）。
【請求項１１】
前記切削インサート（２０）の側面視において、前記４つの当接区域（２８ａ、２８ｂ、２８ｃ、２８ｄ）のそれぞれは、前記４つの当接区域（２８ｄ、２８ｃ、２８ｂ、２８ａ）のうち隣接する１つとV字型を形成する、請求項１に記載の割り出し可能な切削インサート（２０）。
【請求項１２】
４つの切削部分（２６ａ、２６ｂ、２６ｃ、２６ｄ）を有する割り出し可能な切削インサート（２０）、インサートホルダ（４２）、および留め具（４４）を備え、
前記切削インサート（２０）は、２つの対向端面（２２）であってそれらの間に周辺側面（２４）および中心軸（Ｃ）が延在する２つの対向端面（２２）を有し、前記周辺側面（２４）はちょうど４つの個別の間隔をあけて配置された当接区域（２８ａ、２８ｂ、２８ｃ、２８ｄ）を有し、
前記インサートホルダ（４２）はホルダ部（４６）および本体部（４８）を有し、前記ホルダ部（４６）は第１反作用区域（５２）、第２反作用区域（５４）、および第３反作用区域（５６）を備えた側壁面（５０）を有し、
前記切削インサート（２０）は前記留め具（４４）を用いて４つの割り出し位置のうちの任意の１つにおいて前記ホルダ部（４６）内に固定可能である、
切削工具（４０）であって、
前記切削インサート（２０）は、前記中心軸（Ｃ）の周りで４つの仮想的な四分円（Ｑ１、Ｑ２、Ｑ３、Ｑ４）に分割され、前記４つの当接区域（２８ａ、２８ｂ、２８ｃ、２８ｄ）は前記４つの仮想的な四分円（Ｑ１、Ｑ２、Ｑ３、Ｑ４）のうちの２つ（Ｑ１、Ｑ３）の中に完全に位置され、
各割り出し位置において、前記４つの当接区域（２８ａ、２８ｂ、２８ｃ、２８ｄ）のうちの３つは前記３つの反作用区域（５２、５４、５６）と拘束接触する、
切削工具（４０）。
【請求項１３】
前記切削インサート（２０）は、請求項２から請求項１１の何れか１項に記載の個別の特徴を含む、請求項１２に記載の切削工具（４０）。
【請求項１４】
前記インサートホルダの本体部（４８）は後方（Ｒ）に向かうに従い前記ホルダ部（４６）から離れるように長手方向に延在し、前記第１反作用区域（５２）および前記第２反作用区域（５４）は前記後方（Ｒ）に向かうに従い離れる、請求項１２に記載の切削工具（４０）。
【請求項１５】
前記切削インサートの２つの対向端面（２２）のそれぞれは、前記中心軸（Ｃ）に垂直である隆起支持面（３０）を含む、請求項１２に記載の切削工具（４０）。
【請求項１６】
前記２つの隆起支持面（３０）のうちの１つは前記ホルダ部（４６）の底面（６２）と拘束接触し、前記底面（６２）は前記側壁面（５０）を横断する方向に延在する、請求項１５に記載の切削工具（４０）。
【請求項１７】
前記切削インサート（２０）は前記２つの対向端面（２２）の間に延在し且つ前記２つの対向端面（２２）へ開口する中心孔（６４）を有し、前記中心孔（６４）は前記中心軸（Ｃ）と同軸である、請求項１６に記載の切削工具（４０）。
【請求項１８】
前記留め具（４４）は、前記切削インサート（２０）の前記中心孔（６４）を通じて延在し且つ前記ホルダ部（４６）の前記底面（６２）内でねじ穴（６８）に係合する締め付けねじ（６６）の形態である、請求項１７に記載の切削工具（４０）。
【請求項１９】
前記ねじ穴（６８）は前記中心孔（６４）に関して偏心している、請求項１８に記載の切削工具（４０）。
【請求項２０】
前記ホルダ部（４６）は硬質であり且つ非弾性である、請求項１２に記載の切削工具（４０）。